(57)【特許請求の範囲】
【請求項１】
操作キー部を上面に配した操作ボックスを、操作時に操作キー部が前面に出てくるように機器本体に対して回動自在に設けるとともに、電池を収納する電池ケースを前記操作ボックスの内部に位置するように配置した加熱調理器。
【請求項２】
操作ボックスと電池ケースとを一体化し、操作ボックスの側面に電池挿入部と電池フタとを設けた請求項１に記載の加熱調理器。
【請求項３】
電池フタに電池端子を設け、前記電池フタを移動させることにより電源供給を停止することができる請求項２に記載の加熱調理器。
【発明の詳細な説明】
【０００１】
【発明の属する技術分野】
本発明は、電池電源で作動する加熱調理器に関するものである。
【０００２】
【従来の技術】
従来、加熱調理器として、例えばガスコンロにおいては、図５に示すように、操作部１０には、タッチ式の操作キー部１１と、その下部に電池を収納するための引き出し式の電池ケース１２が設けられている。また、ガスバーナ１３やグリル１４も装備している。そして、この加熱調理器はシステムキッチンに組み込んで使用されるものである。
【０００３】
【発明が解決しようとする課題】
しかしながら上記従来の加熱調理器では、操作時に操作キー部１１を覗き込まなければならず、体をかがめた状態で操作する必要があった。また、操作キー部１１を大きくして使いやすくしようとしても、電池ケース１２の寸法を確保するために大きくすることができないという課題があった。
【０００４】
本発明は、前記課題を解決するもので、使用者が操作キー部を操作する時にかがみ込まずに操作ができるとともに、電池ケースを確保するための寸法制限をなくし、見やすく使いやすい加熱調理器を提供することを目的とするものである。
【０００５】
【課題を解決するための手段】
前記目的を達成するために、本発明の加熱調理器は、操作キー部を上面に配した操作ボックスを機器本体に対して回動自在に設けるとともに、電池を収納する電池ケースを操作ボックスの内部に位置するように配置したものである。
【０００６】
これにより、使用者はかがみ込まずに操作キー部が操作できるとともに、電池ケースを確保する寸法制限がなく、見やすく使いやすいものとなる。
【０００７】
【発明の実施の形態】
請求項１に記載の発明は、操作キー部を上面に配した操作ボックスを、操作時に操作キー部が前面に出てくるように機器本体に対して回動自在に設けるとともに、電池を収納する電池ケースを前記操作ボックスの内部に位置するように配置した加熱調理器としたことにより、使用者は操作キー部を操作する時にかがみ込まずに操作ができるとともに、電池ケースを確保するための寸法制限をなくし、見やすく使いやすいものとなる。
【０００８】
請求項２に記載の発明は、操作ボックスと電池ケースとを一体化し、操作ボックスの側面に電池挿入部と電池フタとを設けた請求項１に記載の加熱調理器としたことにより、特に、操作ボックスと電池ケースが一体化され部品点数を削減することができ、安価で使い勝手のよいものとすることができる。
【０００９】
請求項３に記載の発明は、電池フタに電池端子を設け、前記電池フタを移動させることにより電源供給を停止することができる請求項２に記載の加熱調理器とすることにより、特に、電池フタを移動することにより機器への電源供給を停止でき、特別なスイッチを設けることなく、子供のいたずらや高齢者のうっかり操作を防止するための安全ロック機能を得ている。
【００１０】
【実施例】
以下、本発明の実施例について、図面を用いて説明する。
【００１１】
（実施例１）
図１は本発明の実施例１における加熱調理器を示すものであり、図において、１は操作キー部２を上面に配した操作ボックスで、これは操作時に操作キー部２が前面に出てくるように機器本体６に対して回転軸５により回動自在に設けとぃる。操作ボックス１は、その形状を問わないが、操作キー部２を操作する際に、図１（ａ）に示すように機器本体６から前面に出てきて操作キー部２を容易に操作することができるようになっている。その際、操作ボックス１はストッパー７が機器本体６と当たり、一定位置でそれ以上回動しないように阻止されている。操作キー部２の操作が終われば、図１（ｂ）のように、操作ボックス１は回動して操作キー部２は機器本体６内に収容されるものである。
【００１２】
ここで、電池３を収納する電池ケース４は、前記操作ボックス１とは別体であるが、操作ボックス１の内部に位置するように配置されているものである。なお、図示していないが、操作ボックス１の前面における電池３との対向位置には、電池取り出し用の取出し部があり、図１（ｂ）の位置において電池は交換することができるようになっている。
【００１３】
以上のとおり、本実施例の構成においては、操作ボックス１を回動させると操作キー部２は上方に位置しているため、使用者が上から操作キー部２を容易に操作することができる。そして、電池ケース４と電池３を操作ボックス１内部に配置することによって、操作ボックス１は電池ケース４の寸法に関係無く最大寸法に設定できるため、操作キー部２の面積を大きくすることができ、見やすく使いやすいものとなる。
【００１４】
（実施例２）
図２は本発明の実施例２における加熱調理器を示すものであり、実施例１と異なる点は操作ボックス１に電池ケース４を一体化構成として、操作ボックス１の側面に電池挿入部４ａと電池フタ８とを設け、電池挿入後、電池フタ８で電池挿入部４ａを塞ぐように構成したものである。
【００１５】
以上のとおり、本実施例の構成においては、操作ボックス１に電池ケース４が一体で設けられており、部品点数を削減することができるとともに、操作キー部２を操作する状態にした時、側面から電池フタ８を取り外すことによって、電池３の入れ替えが容易にできる。このように部品点数の削減と、安価で使い勝手のよいものとすることができる。
【００１６】
（実施例３）
図３、図４は本発明の実施例３における加熱調理器を示すもので、実施例２と異なる点は、電池フタ８に電池端子９を設け、電池フタ８を移動させることにより電源供給を停止することができる構成としたことである。電池フタ８の移動は実際にはスライド形式としているが、これに限らず、回動形式であってもよい。
【００１７】
以上のとおり、本実施例の構成においては、図３において電池フタ８スライドさせることにより、電池３を入れ替えることができる。また、図４において電池フタ８のスライドを２段階にすることにより、（ａ）の収納状態から１段階目の（ｂ）の状態で電池３と電池端子９との電気的接触を切る状態を設けることにより、子供のいたずらや高齢者のうっかり操作を防ぐための安全ロック機能を得ている。さらにスライドさせて（ｃ）の状態になると電池３の入れ替えができるようになる。
【００１８】
【発明の効果】
以上説明したように本発明の調理器は、操作キー部を上面に配した操作ボックスを機器本体に対して回動自在に設けるとともに、電池を収納する電池ケースを操作ボックスの内部に位置するように配置したものであり、使用者はかがみ込まずに操作キー部が操作できるとともに、電池ケースを確保する寸法制限がなく、見やすく使いやすいものとなる。
【図面の簡単な説明】
【図１】（ａ）本発明の実施例１における加熱調理器の操作ボックス回動時の側断面図
（ｂ）同操作ボックス収容時の側断面図
【図２】本発明の実施例２における加熱調理器の操作ボックス部の側面図
【図３】本発明の実施例３における加熱調理器の操作ボックス部の側面図
【図４】（ａ）〜（ｃ）同加熱調理器の電池と電池フタとの関係を示す説明図
【図５】従来の加熱調理器の外観斜視図
【符号の説明】
１  操作ボックス
２  操作キー部
３  電池
４  電池ケース
５  回転軸
【図１】
0003864758.tif 000002
【図２】
0003864758.tif 000003
【図３】
0003864758.tif 000004
【図４】
0003864758.tif 000005
【図５】
0003864758.tif 000006